(57)【要約】 【課題】  シール蓋に飲み口空気入口を容易にかつ静かにかつ円滑に形成することができ、飲用時のマウスピースとしてカップに装着してすることができるカップ型容器用開封補助治具を提供すること【解決手段】  カップに液密に装着可能なオーバーキャップ６とオーバーキャップ６に変位可能に連結していてシール蓋５を開口可能な一個または複数のカッター７を備え、カッタ７ーは反転ヒンジ２２によりオーバーキャップ６に連結されていてオーバーキャップ６がカップ型容器２に装着された状態において切刃３１がシール蓋５に非接触の基準位置から切刃がシール蓋５を切開する切開位置に反転ヒンジ２２の反転によって変位可能である。【選択図】  図１
2008137698.tif 000002
【特許請求の範囲】
【請求項１】
上端開口部を閉じる切開可能なシール蓋を有するカップ型容器に装着するカップ型容器用開封補助治具であって、カップ型容器に液密に装着可能なオーバーキャップと前記オーバーキャップに変位可能に連結していてシール蓋を切開可能なカッターを備え、前記オーバーキャップには液体内容物が流通可能な液通路と空気が流通可能な空気通路とを共通の通路としてもしくは別の通路として有し、前記カッターは反転ヒンジにより前記オーバーキャップに連結されていて前記オーバーキャップが前記カップ型容器に装着された状態において前記カッターの切り刃が前記シール蓋に非接触の基準位置から前記切り刃が前記シール蓋を切開する切開位置に前記反転ヒンジの反転によって変位可能であることを特徴とするカップ型容器用開封補助治具
【請求項２】
前記カッターの切り刃は切開しようとする開口の形状に対応した形状を有することを特徴とする請求項１に記載のカップ型容器用開封補助治具。
【請求項３】
前記反転ヒンジは全周反転ヒンジであることを特徴とする請求項１から２のいずれか１に記載のカップ型容器用開封補助治具
【請求項４】
前記オーバーキャップは前記シール蓋を切開可能な複数の切開を有する場合の少なくとも１個の切開具を前記カッターで構成することを特徴とする請求項１から３のいずれか１に記載のカップ型容器用開封補助治具、
【請求項５】
前記カッターは液体内容物が流通可能な液通路を有することを特徴とする請求項１から４のいずれか１に記載のカップ型容器用開封補助治具
【請求項６】
前記カッターの切り刃は前記カッターの変位方向に沿って形成されたスリットを間にして整列した多数の切り刃片を有するものであることを特徴とする請求項１から５のいずれか１に記載のカップ型容器用開封補助治具
【請求項７】
前記カッターには補強リブまたはプリーツが設けられていることを特徴とする請求項１から６のいずれか１に記載のカップ型容器用開封補助治具
【請求項８】
前記カッターは前記オーバーキャップとは別部材として構成されて前記オーバーキャップに取り付けられていることを特徴とする請求項１から７のいずれか１に記載のカップ型容器用開封補助治具
【発明の詳細な説明】
【技術分野】
【０００１】
この発明は飲料を収容するカップ型容器に装着してその開封をするときに使用する開封補助治具に関するものである。
【背景技術】
【０００２】
店頭で調整したホットコーヒーなどのホット飲料を店頭で購入して持ち帰るときに使用するカップ型容器では、客の注文毎にカップにホットコーヒーを入れ、これにカップの上からオーバーキャップをかぶせて、顧客に手渡される。
【０００３】
オーバーキャップには、縁部に飲み口と空気入口が形成されていて、客はオーバーキャップをカップから外さずに、オーバーキャップの上から飲み口を通して内容物を飲用する（特許文献１参照）。
【０００４】
一方飲料メーカーが調整、販売するカップ飲料では、飲料メーカーが飲料をカップに充填し、カップの上端をフィルム状の蓋材でシールして出荷する。このカップ飲料でもカップの上面にシール蓋を保護するためのオーバーキャップを装着してシール蓋を覆うが、このシール蓋を剥さずにオーバーキャップの上からカップ内の飲料を飲むことが要求されて来ている。
【０００５】
【特許文献１】特開２００６−１６０３６６
【特許文献２】特開２００４−１２３１５５
【特許文献３】特開２００６−６９６５８
【発明の開示】
【発明が解決しようとする課題】
【０００６】
しかし店頭販売用カップ用のカバーキャップをカップ飲料用オーバーキャップとしてそのまま転用することはできない。これを、シール蓋を有するカップに転用すると、開口のときにオーバーキャップの取外し、及び再取付が必要であるし、別に開口器具も必要になる。また、工場調整飲料用カップの場合はカップ上端にシール蓋が存在するので、飲む時はシール蓋を開口させるための手段が必要になる。しかも、内容物がホットの高温飲料や有色飲料の場合は、内容物が開口時の振動で波立ってカップの外にあふれ出る事故を除くために、シール蓋を開口させる動作が特に静かに円滑に行うことができるものであることが望まれる。
【０００７】
シール蓋を切開して飲み口を形成する補助治具としては特許文献２及び３に記載したものがあるが、これらの治具ではカップ上端に装着したオーバーキャップにカッターがヒンジを介して連結していて、このカッターがスイングしてシール蓋と接触して切開するものである。
【０００８】
切開された飲み口はシール蓋の周辺部分の初期開口の部分で小さく、切開の終了点であるシール蓋の中央寄りの部分で大きいので、カップを大きく傾けないと充分な量が唇内に流れ込まない。
【０００９】
また特に特許文献３に開示された開封補助治具は、カップ型容器の開口縁部は貼着されたフィルムからなるシール蓋を完全にかつスムーズに開封することを目的として、天板（１２）に切り欠き部（１６）を形成し、切刃部（３０）を有する支持部材を変位可能に設けた構成となっている。支持部材（２２）は多孔状部材で、水平上の内端部（２２ａ）と弧状の外端部（２２ｂ）とを有する扇状に形成されている。
【００１０】
そして、内端部２２ａをヒンジ２４を介して天板１２の垂直支持壁１８に連結させ、外端部２２ｂはブリッジ２６を介して天板１２の傾斜内壁２０に連結させている。
【００１１】
しかしながら、この特許文献３に示される開封補助具は、支持部材を多孔状部材で構成するなど、構造が複雑で、高コストなものになっており、もっと構造が簡単で低コストで、カップ個々に装着できる開封補助具の開発が望まれている。
【００１２】
このようなことから、メーカー調整のカップ飲料についてシール蓋に飲み口や空気入口を容易にかつ静かにかつ円滑に形成することができ、飲用時のマウスピースとしてカップに装着して使用することができるカップ型容器用開封補助治具を提供することを目的とするものである。
【課題を解決するための手段】
【００１３】
この目的に対応して、この発明のカップ型容器用開封補助治具は、上端開口部を閉じる切開可能なシール蓋を有するカップ型容器に装着するカップ型容器用開封補助治具であって、
カップ型容器に液密に装着可能なオーバーキャップと前記オーバーキャップに変位可能に連結していてシール蓋を切開可能なカッターを備え、
前記オーバーキャップには液体内容物が流通可能な液通路と空気が流通可能な空気通路とを共通の通路としてもしくは別の通路として有し、
前記カッターは反転ヒンジにより前記オーバーキャップに連結されていて前記オーバーキャップが前記カップ型容器に装着された状態において前記カッターの切り刃が前記シール蓋に非接触の基準位置から前記切り刃が前記シール蓋を切開する切開位置に前記反転ヒンジの反転によって変位可能であることを特徴とする。
【発明の効果】
【００１４】
請求項１に記載したカップ型容器用開封補助治具ではカッターが反転ヒンジによりオーバーキャップ本体に連結されてシール蓋に非接触の基準位置とシール蓋を切開した切開位置との二位置にだけ変位して固定姿勢をとるので、未切開時にはシール蓋と接触してそれを損傷させるという事故が発生することがなく、
また切開時にはシール蓋を完全に切開して、不完全切開の状態になることがないので、飲み口を内容液の好適な流出に適した予定通りの大きさにすることができる。
【００１５】
しかも、切開動作はカッターを手指で下に直線的に押し下げるだけでよいので、切開動作がきわめて簡単で、切開動作を静かに円滑に行うことができ、内容液に振動を与えることがない。
切開動作が終了したカッターはオーバーキャップの内側に入り込み、反転ヒンジによってオーバーキャップの内側に入り込んだ位置に保持されるので、飲む時にカッターが唇に当って邪魔になることがない。
【００１６】
請求項２に記載したカップ型容器用開封補助治具では、カッターの切刃の形状が切開によって形成される飲み口の形状に対応するように構成されているので、切開された飲み口は常に設計通りの形状となり、かつ設計通りの内容物流量を得ることができる。
【００１７】
請求項３に記載したカップ型容器用開封補助治具では、反転ヒンジが全周ヒンジであるので、カッターの位置決めが確実である。
【００１８】
請求項４に記載したカップ型容器用開封補助治具では、各種の形状、形式、各種の支持形式のカッターを併用することができるので、開封補助治具の設計が容易である。
【００１９】
請求項５に記載したカップ型容器用開封補助治具では、カッター自体が内容物を飲むときの飲み口となるので、オーバーキャップの構造を単純にすることができる。
【００２０】
請求項６に記載したカップ型容器用開封補助治具では、カッターの切り刃が多数の小さな鋭利な切り刃片からなっているので、シール蓋の切開がきわめて円滑である。
【００２１】
請求項７に記載したカップ型容器用開封補助治具では、カッターに補強リブまたはプリーツが設けられて、剛性が高められているので、シール蓋の切開がきわめて円滑である。
【００２２】
請求項８に記載したカップ型容器用開封補助治具では、カッターをオーバーキャップとは、別部材として構成しているので、カッターについて材質の選択の幅を広げることができる。
【発明を実施するための最良の形態】
【００２３】
以下、この発明を実施するための最良の形態を示す図面を参照しつつ説明する。
図１及び図２において、１ａはこの発明の開封補助治具であり、開封補助治具１ａはカップ型容器２の上端に装着されて使用されるものである。
【００２４】
カップ型容器２の上端部は一周するフランジ３が形成されており、その内側は開放して開放開口４となっており、その開放開口４はフランジ３にヒートシールされたフィルム状のシール蓋５で閉じられている。このシール蓋５がこの発明の開封補助治具１ａによる切開の対象である。
【００２５】
開封補助治具１ａはカップ型容器２に装着可能なオーバーキャップ６とそのオーバーキャップ６に変位可能に支持されているカッター７とからなっている。カッター７とオーバーキャップ６に反転ヒンジ８を介して連結している。
【００２６】
オーバーキャップ６の材質はポリプロピレン等のプラスチック製、紙製または複合材料製である。製法としては、例えば材質がプラスチック製であれば、インジェクション成形等を採用することができる。
【００２７】
カッター７はオーバーキャップ６と一体に構成する場合には同じ材質で、また別部材として構成する場合は同じ材質若しくは別の材質で構成する。
【００２８】
オーバーキャップ６はカップ型容器２の上端部を覆う覆部１１とこの覆部１１をカップ型容器２に取付けるための取付け裾部１２とを肩部１３を介して開封補助治具１ａの中心線１４方向に同心状に連続させて有する。覆部１１は筒状の筒部１５とその上端を閉じる天板１６とを有する。
【００２９】
取付け裾部１２は中心線１４回りに中心線１４方向に凸出する係止部１９を有し、この係止部１９がオーバーキャップ６がカップ型容器２に装着した場合に肩部１３と協働してカップ型容器２のフランジ３を挟んで、フランジ３とオーバーキャップ６とを固定させる。
【００３０】
このとき、肩部１３の下面とフランジ３の上面とは液密に接触し、取付け裾部１２の内面とフランジ３の外周端面が液密に接触し、これらの液密な接触によって開封補助治具１ａとカップ型容器２は液密な装着が実現する。
【００３１】
オーバーキャップ６の天板１６にはカッター７が取付けられている。すなわち円形の天板１６の中央寄りの部分には長円形の窪み１７が形成されている。
【００３２】
長円形の窪み１７は円形の天板１６の中心線１４に対して偏心して一部の側方に片寄っている。その結果、窪み１７の周囲には天板１６による環状の平面１８が窪み１７の土手のように形成されている。
【００３３】
窪み１７が偏心している結果、環状平面１８の周方向の位置によって相違していて最も挟幅の部分１８ａに円筒状の取り付け筒２1が立ち下がっている。取り付け筒２1の下端部には反転ヒンジを介してカッター７が連続している。
【００３４】
この実施例ではオーバーキャップ６と反転ヒンジ８とカッター７は一体に形成されている。カッター７は円筒形をなしていて、中心線１４に沿って液通路２５を有する。カッター７の上端２６は反転ヒンジ２２の内周縁２７に接続している。
【００３５】
カッター７の下端には切刃部２８が形成されている。切刃部２８には切刃３１が鋭利な先端を下に向けて形成されている。なおカッター７は液通路２５を形成し得る形状であれば円筒状でなくても楕円筒状や多角筒状などの横断面形状が非円形の筒状体であってもよい。
切刃部２８はこのように単一の円環状の切刃３１で構成してもよいが、この他に、図４に示すように、カッター２３の中心線２４の方向である変位方向に沿って形成されたスリット３２を間にして整列した多数の切刃片３３で構成してもよく、もしくは、図５に示すごとくカッター７の切刃部２８の下端を細かい切刃片３３ｂからなる切刃３１で構成してもよく、さらには切刃３１を中心線２４に対して傾斜させて配設し、切刃３１がシール蓋を切開するときに、力が切開箇所に集中するようにしてもよい。
【００３６】
また図５に示すように、カッター７の内周面若しくは外周面に中心線２４の方向に沿ってリブ３５またはプリーツを設けてカッター７を補強してもよい。さらに図６に示すように、カッター７を基部３４と切刃部２８とを別部材として構成し、切刃部２８を別工程で成形して基部３４に装着した構造にしてもよい。
【００３７】
カッター７は反転ヒンジ２２を介してオーバーキャップ６に連結している。反転ヒンジ２２は円環板状をなしていて、内周縁２７でカッター７の上端２６に内側折れ曲り部３８を介して連結しており、外周縁４１で外側折れ曲り部４２を介してオーバーキャップ６の取り付け筒２１に連結している。但し反転ヒンジは円環板状の形状の他に、カッターの上記の各種の形状に応じて非円形、多角形環板状に構成する。
【００３８】
反転ヒンジ２２は中心線２４の方向に力が加えられたときに弾性変形によって、外側折れ曲り部４２を中心にして反転して図２に示す正位置４３と図３に示す反転位置４４との２位置に変位することができる。
【００３９】
反転ヒンジ２２が正位置４３にあるとき、カッター７の切刃３１はシール蓋５から隔離した位置にあり、反転ヒンジ２２が反転位置４４にあるとき、カッター７の切刃３１はシール蓋５を完全に切開した位置になるように、反転ヒンジ２２の反転によるカッター７の変位置が調整されている。
【００４０】
このように構成された開封補助治具１ａの動作は次の通りである。
内容物が充嗔され、シール蓋５によって上端の開放開口が閉じられた状態のカップ型容器２の上端に開封補助治具１ａが装着される。カップ型容器２の上端に開封補助治具１ａを乗せ、わずかに下に押圧すれば、オーバーキャップ６の取付け裾部１２の係止部１９が肩部１３との間にカップ型容器２のフランジ３を液密に挟んで装着される。
【００４１】
次にカップ型容器２のシール蓋５を切開する動作としては、カッター７を上から中心線２４方向に押すと、反転ヒンジ２２が反転し、これに伴ってカッター７が下降してシール蓋５と接触し、切刃３１がシール蓋５を切開し、シール蓋５に流出口４５が形成されている。
【００４２】
この状態で、飲む動作として口唇をオーバーキャップ６の天板１６の挟幅の部分１８ａに当ててカップ型容器２を傾けると内容物が切開された流出口４５、カッター７の液通路２５を通して流れ出し、飲むことができる。この時息継ぎの空気もカッター７の液通路２５を逆に流れて、カップ型容器２内に流入する。
【００４３】
この開封補助治具１ａでは、カッターが反転ヒンジ２２の作用で固定的な位置及び姿勢を保ち、内容物を飲むときも、口唇の邪魔になることがなく、かつカッターの液通路２５が内容物に対する固定的な案内として機能するので、内容物の流れが安定し、円滑である。
図７から図９には、この発明の他の実施形態に係る開封補助治具１ｂが示されている。開封補助治具１ｂはカップ型容器２のシール蓋５に２個の孔を切開することが可能であり、これに対応してカッターとしてもカッター７ａ、７ｂを備える点でシール蓋５に切開する孔（流出口４５）が１個であり、カッター７も１個である開封補助治具１ａと相違している。
【００４４】
すなわち、開封補助治具１ｂはオーバーキャップ６上に２個のカッター７ａ、７ｂを備えている。カッター７ａ、７ｂはカッター７とほぼ同じ構造である。開封補助治具１ｂは２個のカッター７ａ、７ｂのうち、一方のカッター７ａとシール蓋５に内容物の流出口４５を形成し、他方のカッター７ｂで息継ぎのための空気流入口４６を形成することができる。
【００４５】
このように、流出口と空気流入口を別々に形成する場合は空気流入口を通して多量の空気を流入させて息継ぎを容易にするので、流出口が小さくても円滑な内容物流出が可能となる。シール蓋５に形成される空気流入口４６の形状は流出口４５の形状と相違してもよいので、カッター７ｂの構成はカッター７ａの構成とは異なってもよいことは勿論である。
以上の説明から明らかな通り、この発明によれば、シール蓋に飲み口や空気入口を容易かつ静かにかつ円滑に形成することができ、飲用時のマウスピースとしてカップ容器に装着して使用することができるカップ型容器用開封補助治具を得ることができる。
【図面の簡単な説明】
【００４６】
【図１】開封補助治具１ａの平面図
【図２】開封補助治具１ａの切開動作前の状態を示す縦断面図
【図３】開封補助治具１ａの切開動作後の状態を示す縦断面図
【図４】他のカッターを示す縦断面図
【図５】他のカッターを示す縦断面図
【図６】他のカッターを示す縦断面図
【図７】他の開封補助治具の平面図
【図８】他の開封補助治具の切開動作前の状態を示す縦断面図
【図９】他の開封補助治具の切開動作後の状態を示す縦断面図
【符号の説明】
【００４７】
１ａ、１ｂ開封補助治具
２    カップ型容器
３    フランジ
４    開放開口
５    シール蓋
６    オーバーキャップ
７、７ａ、７ｂカッター
８    反転ヒンジ
１１  覆部
１２  取付け裾部
１３  肩部
１４  中心線
１５  筒部
１６  天板
１７  窪み
１８  環状平面
１８ａ挟幅の部分
１９  係止部
２１  取り付け筒
２２  反転ヒンジ
２４  中心線
２５  液通路
２６  上端
２７  内周縁
２８  切刃部
３１  切刃
３２  スリット
３３  切刃片
３４  基部
３５  リブ
３８  内側折れ曲り部
４１  外周縁
４２  外側折れ曲り部
４３  正位置
４４  反転位置
４５  流出口
４６  空気流入口
【図１】
2008137698.tif 000003
【図２】
2008137698.tif 000004
【図３】
2008137698.tif 000005
【図４】
2008137698.tif 000006
【図５】
2008137698.tif 000007
【図６】
2008137698.tif 000008
【図７】
2008137698.tif 000009
【図８】
2008137698.tif 000010
【図９】
2008137698.tif 000011